(57)【特許請求の範囲】
【請求項１】
建物の室内に形成される収納構造であって、
水平に配置される平面形状が長方形を呈する一個の台輪と、
左、右側板と奥板とによって水平断面がコ字形となるように形成され前記台輪の上面において長手方向に所定間隔をあけて立設される二個のコ字形ユニットと、
二個のコ字形ユニット間に架け渡される棚板と、
前記コ字形ユニット及び台輪の手前側に固定され、二本の縦枠及び二本の横枠によって四角枠状に形成される手前四角枠と、
前記コ字形ユニットの上部の背面側を横方向に連結する連結材とを備えてなることを特徴とする収納構造。
【請求項２】
台輪及び棚板は、その長手方向の長さが異なるものが複数種類用意されていて、選択的に使用可能なことを特徴とする請求項１記載の収納構造。
【発明の詳細な説明】
【０００１】
【産業上の利用分野】
この発明は収納構造、更に詳しくは、強度的に安定するとともに、横方向の寸法が変化しても少ない部品数で対応可能な収納構造に関する。
【０００２】
【従来の技術】
従来、収納構造としては、複数の大小の箱状のものを、建物の室内凹部の寸法により、組み合わせて取り付けるものが知られていた。
図９は、従来の収納構造を示す一例であって、玄関に形成された従来の収納構造の斜視図を示す。
【０００３】
従来の収納構造の概略を説明すると、建物内部の左右方向に形成された室内壁の途中であって、両側壁111,112と奥壁113とを有する凹部110に、４個の箱状のキャビネット121,122,123,124を組み合わせて取り付けていた。
前記キャビネット121,122,123,124は、全体形状が箱状であって、前面が開放した本体部140と、この本体部140の内部を水平に仕切る複数の棚板150と、本体部140の開放前面を塞ぐとともに、開閉自在の二枚の扉160とを有していた。
【０００４】
そして、凹部110の側壁112と、キャビネット123との間に発生した間隙には、角状の木片からなる調整部材131を取り付けることにより、また、凹部110の側壁112と、キャビネット124との間に発生した間隙には、角状の木片からなる調整部材132を取り付けることにより、左右方向の寸法の誤差を微調整していた。
【０００５】
【発明が解決しようとする課題】
しかし、上記した従来の収納構造では、凹部110の横方向の寸法が変わると、調整部材を使用することによって、微調整をすることができても、各タイプの違いにより横方向の寸法が大きく異なる凹部110に対応するためには、少なくともそれに対応した横方向の寸法の異なるキャビネット121,122若しくはキャビネット123,124を作成しなければならなかった。その場合、キャビネット121,122若しくはキャビネット123,124の上面板、下面板及び各棚板150の全ての横方向の寸法をそれぞれのタイプの凹部110の横方向の寸法に合わせなければならず、大変手間が掛かり、部品数が増加することによる部品の在庫管理、現場施工での管理がともに煩雑となり低コスト化を阻む要因になるという問題点があった。
【０００６】
また、キャビネット121,122,123,124は箱状のものであるため、軽量化することが難しく、工場で箱状に組み立てるとかさばるため搬送に手間が掛かるという問題点があった。
そこで、請求項１記載の発明は、上記した従来の技術の有する問題点に鑑みてなされたものであり、その目的とするところは、軽量化することができるとともに全体の剛性を高めて強度的に安定した収納構造を提供しようとするものである。
【０００７】
これに加えて、請求項２記載の発明は、横方向の寸法が異なるものにも共通部品が一部に使用可能で部品数の低減が可能な収納構造を提供しようとするものである。
【０００８】
【課題を解決するための手段】
本発明は、上記した目的を達成するためのものであり、以下にその内容を図面に示した実施例を用いて説明する。
請求項１記載の発明は、建物の室内に形成される収納構造であって、水平に配置される平面形状が長方形を呈する一個の台輪(50)と、左、右側板(32,33)と奥板(31)とによって水平断面がコ字形となるように形成され前記台輪(50)の上面において長手方向に所定間隔をあけて立設される二個のコ字形ユニット(30)と、二個のコ字形ユニット(30)間に架け渡される棚板(70)と、前記コ字形ユニット(30)及び台輪(50)の手前側に固定され、二本の縦枠(21)及び二本の横枠(22)によって四角枠状に形成される手前四角枠(20)と、前記コ字形ユニット(30)の上部の背面側を横方向に連結する連結材(60)とを備えてなることを特徴とする。
【０００９】
なお、台輪(50)は水平に配置されてあれば良く、必ずしも床面上に載置されるものに限定されるものではない。すなわち、本収納構造には、室内の壁面の途中に固定する吊り収納も含まれる。
請求項２記載の発明は、台輪(50)及び棚板(70)は、その長手方向の長さが異なるものが複数種類用意されていて、選択的に使用可能なことを特徴とする。
なお、台輪(50)及び棚板(70)の長手方向とは、共に同一方向であって、水平横方向を指すものである。
【００１０】
【００１１】
【作用】
請求項１記載の発明に係る収納構造の作用について説明する。
本収納構造(10)は、全体がキャビネット状に形成されていないため、軽量化を図ることができる。また、各コ字形ユニット(30)は、左、右側板(32,33)と奥板(31)とによって水平断面形状がコ字状に形成されているため、上下方向の荷重に対して充分な剛性を有している。さらに、縦方向の荷重が全て台輪(50)の狭い範囲に集中することなく、荷重をコ字状に分散させることができて、強度的により安定した収納構造(10)を提供することができる。
さらに、連結材(60)により二個のコ字形ユニット(30)同士を強固に連結することができ、また、手前四角枠(20)により台輪(50)及び二個のコ字形ユニット(30)同士を強固に連結することができる。すなわち、連結材(60)及び手前四角枠(20)により本収納構造の全体の剛性を高めて強度的に安定したものを形成することができる。
【００１２】
また、手前四角枠(20)を形成することにより、例えば開き扉や吊り扉等の機能部材を手前四角枠(20)に固定することが可能となる。そのような場合においても、手前四角枠(20)はコ字形ユニット(30)及び台輪(50)に固定されているため、手前四角枠(20)の縦方向の荷重が一部に集中することなく、荷重を分散させることができて、強度的により安定した収納構造(10)を提供することができる。さらに、より重量の大きい物を収納することが可能となる。
また、本収納構造は、工場においては、箱状でないため、工場出荷時にかさばらず、構造も簡単で重量も軽くすることができ、運搬に便利である。
請求項２記載の発明に係る収納構造の作用について説明する。
本収納構造(10)の横方向、すなわち台輪(50)の長手方向の寸法が収納構造(10)の設置場所により変化しても、台輪(50)と棚板(70)とを適正寸法のものに変更すれば、二個のコ字形ユニット(30)の間隔を変化させることにより、同一のコ字形ユニット(30)を寸法の異なる収納構造(10)においても共通して使用することができる。これにより、横方向の寸法の異なる収納構造(10)に共通のコ字形ユニット(30)を使用することができて、全体としての部品点数を少なくすることができ、製造コストの低減を図ることができる。
【００１３】
【００１４】
【００１５】
【実施例】
以下、本発明を実施例及び図面に基づいて、更に詳しく説明する。
図１乃至図３は、本発明の実施例を示すものであり、図１は収納構造の外観斜視図、図２，３は収納構造の組立段階を示すものであり、図２はコ字形ユニットを台輪に取り付ける際の分解斜視図、図３は台輪及びコ字形ユニットに手前四角枠を取り付ける際の分解斜視図をそれぞれ示す。
【００１６】
まず、本実施例の構成について説明する。
本実施例は、建物の室内の床から鉛直上方に立設されて形成される収納構造10に関するものである。
本収納構造は、二本の縦枠21及びこの縦枠21の水平方向を渡す二本の横枠22によって四角枠状に形成される手前四角枠20と、この手前四角枠20の下側の横枠22が固定されるとともに、床面上に設置される長尺板状の台輪50と、この台輪50の長手方向両端の上面に各々形成され、手前四角枠20の各縦枠21の背面側に各々固定される水平断面形状がコ字状の二個のコ字形ユニット30とを備えている。
【００１７】
前記手前四角枠20は、図１に示すように、その前面側に何も取り付けないで開放した状態で使用することもできるが、図示していないが、手前四角枠20の左右の縦枠21に開き戸扉や折れ戸扉を形成することもでき、また、手前四角枠20の上下の横枠22に左右にスライドする引き戸扉を形成することもできる。
前記コ字形ユニット30は、コ字形の開口方向が手前側となるように配置されている。そして、前記コ字形ユニット30は、奥側に台輪50の長手方向側縁に沿って立設する奥板31と、この奥板31の向かって右側の端縁から手前側に向かって形成される右側板32と、前記奥板31の向かって左側の端縁から手前側に向かって形成されて右側板32と平行に向かい合う左側板33とを備えている。そして、各コ字形ユニット30は、その奥板31同士の上部の背面側を板状の連結材60により横方向に相互に連結している。また、二個のコ字形ユニット30の奥板31同士の間に形成された隙間には、その隙間を埋める化粧奥板34が形成されている。
そして、左側のコ字形ユニット30の開口内部と、左右のコ字形ユニット30の間の空間内部とには、方形状の棚板70が水平に各１０枚ずつ形成されている。また、向かって右側のコ字形ユニット30の開口内部には、その上部に方形状の棚板70が二枚形成され、その下部に手前側に向かって延設されたハンガー掛け73が形成されている。
【００１８】
次に、上記した実施例の作用及び効果について説明する。
本収納構造10は、台輪50上の左右両端に各々独立した同一のコ字形ユニット30を二個形成している。このため、収納構造10の横方向、すなわち台輪50の長手方向の寸法が収納構造10の設置場所により変化しても、台輪50と手前四角枠20とを適正寸法のものに変更すれば、二個のコ字形ユニット30の間隔を変化させることにより、同一のコ字形ユニット30を寸法の異なる収納構造10においても共通して使用することができる。これにより、横方向の寸法の異なる収納構造10に共通のコ字形ユニット30を使用することができて、全体としての部品点数を少なくすることができ、製造コストの低減を図ることができる。
【００１９】
また、本収納構造10は、全体がキャビネット状に形成されていないため、構造材としての部品が少なく、全体として軽量化を図ることができる。
また、各コ字形ユニット30は水平断面形状がコ字状に形成されているため、上下方向の荷重に対して充分な剛性を有しており、前面側において手前四角枠20の縦枠21を支持することができる。これにより、手前四角枠20の縦枠21に加わる縦方向の荷重が全て台輪50の狭い範囲に集中することなく、荷重をコ字状に分散させることができて、強度的により安定した収納構造10を提供することができる。さらに、より重量の大きい物を収納することが可能となる。
【００２０】
また、本収納構造は、工場においては箱状でないため、工場出荷時にかさばらず、構造も簡単で重量も軽くすることができ、運搬に便利である。
なお、上述した本実施例は室内の床から室内壁等に固定させることなく形成してあるが、図示しないが、室内壁からなる凹状の凹部に形成したり、室内の壁に沿って他の収納家具や収納構造に隣接して形成する場合がある。そのような場合には、室内床から垂直上方に立設する室内壁に沿って収納構造10を設け、連結材60を室内壁に固定することができる。連結材60を室内壁に固定すると、奥板31、右側板32及び左側板33を介して、手前四角枠20及びコ字形ユニット30に加わる縦方向の荷重の一部を室内壁に分散させることができる。これにより、手前四角枠20の縦枠21やコ字形ユニット30に加わる縦方向の荷重が全て下部に集中することなく、荷重を分散することができて、強度的により安定した収納構造を提供することができ、床への負担を軽くすることができる。さらに、より重量の大きい物を収納することが可能となる。
【００２１】
次に、上記した実施例のバリエーションについて説明する。
図４は、他の形状の異なる手前四角枠を取り付ける際の分解斜視図を示す。
図４に示すように、向かって右側に位置するコ字形ユニット30の左側板33に手前四角枠20の右側の縦枠21を取り付けて、向かって左側に位置するコ字形ユニット30の右側板32に手前四角枠20の左側の縦枠21を取り付けるようにしても良い。
また、図示しないが、向かって右側に位置するコ字形ユニット30の左側板33に手前四角枠20の右側の縦枠21を取り付けて、向かって左側に位置するコ字形ユニット30の左側板33に手前四角枠20の左側の縦枠21を取り付けるようにしても良い。さらに、向かって右側に位置するコ字形ユニット30の右側板32に手前四角枠20の右側の縦枠21を取り付けて、向かって左側に位置するコ字形ユニット30の右側板32に手前四角枠20の左側の縦枠21を取り付けるようにしても良い。
すなわち、一方のコ字形ユニット30のいずれかの側板と、他方のコ字形ユニット30のいずれかの側板とが手前四角枠20の縦枠21により固定されてあれば手前四角枠20により剛性を高めることができる。
【００２２】
図５乃至図８は、コ字形ユニットの開口する方向を変えたものであって、図５は二個のコ字形ユニットの開口方向が互いに逆方向となるように配置した概略模式図、図６は、二個のコ字形ユニットの開口方向が互いに対面するように配置した収納構造の概略模式図、図７は二個のコ字形ユニットの開口方向が共に向かって右側方向となるように配置した概略模式図、図８は二個のコ字形ユニットの開口方向が共に向かって左側方向となるように配置した概略模式図を各々示す。
【００２３】
図５乃至図８に示すように、コ字形ユニット30の開口方向は、手前側のみに限定することなく、いずれの方向にも設定することができる。これにより、収納構造の周囲の環境に合わせて収納物の取り出し方向を自由に設定することができて、取り出しに便利な収納構造を提供することができる。
【００２４】
【発明の効果】
本発明は、以上のように構成されているので、以下に記載されるような効果を奏する。
請求項１記載の発明によれば、軽量化することができるとともに強度的に安定した収納構造を提供することができる。特に、連結材及び手前四角枠により全体の剛性を高めることができるから、強度的に安定した収納構造を提供することができる。
【００２５】
請求項２記載の発明によれば、横方向の寸法が異なるものにも共通部品が一部に使用可能で部品数の低減が可能な収納構造を提供することができる。
【図面の簡単な説明】
【図１】  本発明の実施例に係る収納構造を示す外観斜視図である。
【図２】  収納構造の組立段階であって、コ字形ユニットを台輪に取り付ける際の分解斜視図である。
【図３】  収納構造の組立段階であって、台輪及びコ字形ユニットに手前四角枠を取り付ける際の分解斜視図である。
【図４】  他の形状の異なる手前四角枠を取り付ける際の分解斜視図である。
【図５】  二個のコ字形ユニットの開口方向が互いに逆方向となるように配置した概略模式図である。
【図６】  二個のコ字形ユニットの開口方向が互いに対面するように配置した収納構造の概略模式図である。
【図７】  二個のコ字形ユニットの開口方向が共に向かって右側方向となるように配置した概略模式図である。
【図８】  二個のコ字形ユニットの開口方向が共に向かって左側方向となるように配置した概略模式図である。
【図９】  従来の収納構造を示す組立斜視図である。
【符号の説明】
10…収納構造、20…手前四角枠、21…縦枠、22…横枠、30…コ字形ユニット、31…奥板、32…右側板、33…左側板、34…化粧奥板、50…台輪、60…連結材、70…棚板、73…ハンガー掛け、110…凹部、111…側壁、112…側壁、113…奥壁、121,122,123,124…キャビネット、131,132…調整部材、140…本体部、150…棚板、160…扉。
【図１】
0003660715.tif 000002
【図２】
0003660715.tif 000003
【図３】
0003660715.tif 000004
【図４】
0003660715.tif 000005
【図５】
0003660715.tif 000006
【図６】
0003660715.tif 000007
【図７】
0003660715.tif 000008
【図８】
0003660715.tif 000009
【図９】
0003660715.tif 000010